(57)【要約】【課題】ベルト部材の垂れ下がりを防止するための新たな機構を搭載することなく、蓋部材を開いた際にベルト部材が接続部の開口部を覆わないようにすることで接続部の使用を容易にすることを可能とした撮像装置を提供する。【解決手段】撮像装置は、撮像装置本体１、第１のグリップベルト取付部２、第２のグリップベルト取付部３、グリップベルト４、接続部５、蓋部６、板バネ２１を備える。蓋部６を、回動軸となる鉄芯２４を介して接続部５の開口部に対し開閉可能に構成する。第１のグリップベルト取付部２を鉄芯２４よりも下方に配置するとともに、第２のグリップベルト取付部３を鉄芯２４よりも上方に配置することで、蓋部６の回動軸とグリップベルト４とを交差させる。板バネ２１は、蓋部６を開いた場合は蓋部６を開いた状態に保持し、グリップベルト４を接続部５の開口部を塞がない位置まで押し上げる付勢力を発生し、蓋部６を閉じた場合は蓋部６を閉じる方向に付勢力を発生する。【選択図】図８
2010147552.tif 000002
【特許請求の範囲】
【請求項１】
撮像装置本体の側面部の軸方向の一方の側に設けられた第１の取付部と、
前記撮像装置本体の前記側面部の軸方向の他方の側に設けられた第２の取付部と、
前記第１の取付部と前記第２の取付部に取り付けられたベルト部材と、
前記撮像装置本体の前記側面部に設けられ、回動することで前記撮像装置本体の機能に供する接続部の開口部を開閉可能に覆う蓋部材と、
前記蓋部材に対応して設けられ付勢力を発生する付勢手段と、を備え、
前記第１の取付部と前記第２の取付部のうち一方を前記蓋部材の回動軸よりも上方に配置するとともに、前記第１の取付部と前記第２の取付部のうち他方を前記蓋部材の回動軸よりも下方に配置し、
前記付勢手段は、前記蓋部材を開く動作に伴い、前記蓋部材を介して前記ベルト部材を前記接続部の前記開口部を塞がないように付勢することを特徴とする撮像装置。
【請求項２】
前記付勢手段は、前記蓋部材を開く動作に伴い、前記蓋部材を開いた状態に保持すると共に前記蓋部材を介して前記ベルト部材を前記接続部の開口部を塞がない位置まで押し上げる付勢力を発生し、前記蓋部材を閉じる動作に伴い、前記蓋部材を閉じる方向に付勢力を発生することを特徴とする請求項１記載の撮像装置。
【請求項３】
前記付勢手段は、前記蓋部材の開閉を行う側に対して反対側から前記蓋部材に対して荷重を加え、前記蓋部材が前記回動軸を中心に開く方向と閉じる方向にそれぞれ付勢力を発生する板バネであることを特徴とする請求項１又は２記載の撮像装置。
【請求項４】
前記付勢手段は、前記撮像装置本体の内部に配設された板金に対して電気的に接続されていることを特徴とする請求項１乃至３のいずれかに記載の撮像装置。
【発明の詳細な説明】
【技術分野】
【０００１】
本発明は、装置本体の側面部に配設された蓋部と装置本体を保持するためのグリップベルトを備える撮像装置に関する。
【背景技術】
【０００２】
従来、ケーブルのプラグが接続される端子が配置された接続部を開閉自在に覆う蓋部と、装置本体を保持するためのグリップベルトを備えたビデオカメラ等の撮像装置がある。この種の撮像装置で蓋部がグリップベルトの近傍に配置されている場合、蓋部を開けた際にグリップベルトが垂れ下がり、接続部の開口部を覆うため、接続部の端子に対するプラグの挿入／抜き外し（挿抜）など、接続部の使用時に邪魔になるという問題があった。前記問題に対し、蓋部を開けた際にグリップベルトが接続部の開口部を覆わない位置まで移動し、その位置でグリップベルトが保持される構造の撮像装置が提案されている（例えば、特許文献１参照）。
【０００３】
図９（ａ）は、従来例（特許文献１）に係る撮像装置の蓋部を閉じた状態を示す斜視図、図９（ｂ）は、蓋部を開いた状態を示す斜視図である。
【０００４】
図９（ａ）、図９（ｂ）において、撮像装置は、撮像装置本体４２、前側取り付け部４３ａと後側取り付け部４３ｂに取り付けられたグリップベルト４１、カバー４４、撮影ボタン４５、ズームノブ４６、フォトボタン４７、蓋４８、底面カバー４９を備えている。蓋４８を開く場合には、グリップベルト４１を矢印方向へ移動させる。この場合、前側取り付け部４３ａと後側取り付け部４３ｂの機構によりグリップベルト４１をその位置に保持している。これにより、撮像装置本体４２に対しカセットテープ４１０を挿抜する際に、グリップベルト４１が邪魔になることはない。
【特許文献１】特願平１０−３６４５３４号
【発明の開示】
【発明が解決しようとする課題】
【０００５】
しかしながら、上記の従来技術（特許文献１に開示された技術）では、グリップベルト４１の垂れ下がりを防止するため、本来、グリップベルト４１としての機能を満たすものとは関係ない新たな機構を搭載する必要がある。そのため、新たな機構の搭載により、グリップベルト周辺の構成が複雑化すると共に部品点数やコストが増加するなどの問題がある。
【０００６】
本発明の目的は、ベルト部材の垂れ下がりを防止するための新たな機構を搭載することなく、蓋部材を開いた際にベルト部材が接続部の開口部を覆わないようにすることで接続部の使用を容易にすることを可能とした撮像装置を提供することにある。
【課題を解決するための手段】
【０００７】
上記目的を達成するために、本発明は、撮像装置本体の側面部の軸方向の一方の側に設けられた第１の取付部と、前記撮像装置本体の前記側面部の軸方向の他方の側に設けられた第２の取付部と、前記第１の取付部と前記第２の取付部に取り付けられたベルト部材と、前記撮像装置本体の前記側面部に設けられ、回動することで前記撮像装置本体の機能に供する接続部の開口部を開閉可能に覆う蓋部材と、前記蓋部材に対応して設けられ付勢力を発生する付勢手段と、を備え、前記第１の取付部と前記第２の取付部のうち一方を前記蓋部材の回動軸よりも上方に配置するとともに、前記第１の取付部と前記第２の取付部のうち他方を前記蓋部材の回動軸よりも下方に配置し、前記付勢手段は、前記蓋部材を開く動作に伴い、前記蓋部材を介して前記ベルト部材を前記接続部の前記開口部を塞がないように付勢することを特徴とする。
【発明の効果】
【０００８】
本発明によれば、蓋部材を開いた際に付勢手段により蓋部材を介してベルト部材を接続部の開口部を塞がないように付勢する。そのため、従来のようにベルト部材の垂れ下がりを防止するための新たな機構を搭載することなく、付勢手段を設けるという簡易な構成で、蓋部材の開き動作を利用してベルト部材を押し上げることができる。これにより、蓋部材を開いた際にベルト部材が接続部の開口部を覆わないようにすることができるため、接続部に対するケーブルの接続など、接続部の使用を容易にすることが可能となる。
【発明を実施するための最良の形態】
【０００９】
以下、本発明の実施の形態を図面に基づいて説明する。
【００１０】
図１は、本発明の実施の形態に係る撮像装置（蓋部閉じ状態）におけるグリップベルトを取り付けた状態を示す斜視図である。図２は、撮像装置（蓋部開き状態）におけるグリップベルトを取り外した状態を示す斜視図である。図３は、撮像装置におけるグリップベルトを蓋部が押し上げている状態を示す側面図である。
【００１１】
図１乃至図３において、撮像装置は、撮像装置本体１、第１のグリップベルト取付部２、第２のグリップベルト取付部３、グリップベルト４、接続部５、蓋部６、カバーユニット２０を備えている。撮像装置本体１の側面部の前方側（軸方向の一方の側）には、第１のグリップベルト取付部２（第１の取付部）が設けられている。また、撮像装置本体１の側面部の後方側（軸方向の他方の側）には、第２のグリップベルト取付部３（第２の取付部）が設けられている。グリップベルト４（ベルト部材）は、ユーザが撮像装置本体１を保持するための部材であり、第１のグリップベルト取付部２と第２のグリップベルト取付部３に取り付けられている。
【００１２】
また、撮像装置本体１の側面部には、図２に示すように、撮像装置が有する各種の機能（例えばデータ転送機能、映像／音声入出力機能など）に供する接続部５が設けられている。接続部５は、各種ケーブルのプラグを接続するためのミニＤ端子、ＵＳＢ（Universal Serial Bus）端子、ＨＤＭＩ（High-Definition Multimedia Interface）端子から構成されている。
【００１３】
更に、撮像装置本体１の側面部で接続部５に対応した箇所には、接続部５の開口部を開閉可能に覆う蓋部６（蓋部材）が設けられている。図２及び図３は蓋部６を開いた状態であり、図２では接続部５を構成する複数の端子が外部に露出している様子を示している。蓋部６は、撮像装置本体１の長手方向７に対して略同一方向である軸方向の線８に沿って配設される鉄芯２４（図５参照）を介して開閉可能に構成されている。すなわち、蓋部６の回動中心は軸方向の線８となる。
【００１４】
図２において、第１のグリップベルト取付部２は軸方向の線８よりも下方に配置され、第２のグリップベルト取付部３は軸方向の線８よりも上方に配置されている。したがって、グリップベルト４を第１のグリップベルト取付部２と第２のグリップベルト取付部３に取り付けた状態では、グリップベルト４が軸方向の線８と交差する。
【００１５】
更に、図３に示すように、蓋部６を開いた状態では、後述の板バネ２１（図４参照）の付勢力により、グリップベルト４が接続部５の開口部を塞がない位置まで押し上げられるように構成されている。尚、蓋部６を含むカバーユニット２０については図４及び図５により後述する。
【００１６】
図４は、蓋部６を取り付けたカバーユニット（組み付け状態）を示す正面図である。
【００１７】
図４において、カバーユニット２０には、板バネ２１（付勢手段）がネジ２２及びネジ２３により固定されていると共に、留め部材２５がネジ２６により固定されている。ネジ２２及びネジ２３は、板バネ２１の支点となる。板バネ２１は、蓋部６に対応して蓋部６開閉側の反対側に設けられており、蓋部６を開いた状態においてグリップベルト４を接続部５の開口部を塞がない位置まで付勢する。
【００１８】
即ち、ユーザによる蓋部６を開く動作に伴い、板バネ２１は蓋部６自体を開いた状態に保持すると共に、蓋部６を介してグリップベルト４を接続部５の開口部を塞がない位置まで押し上げる付勢力を発生する。また、ユーザによる蓋部６を閉じる動作に伴い、板バネ２１は蓋部６を閉じる方向に付勢力を発生する。尚、図４では蓋部６は不図示となっている。
【００１９】
また、板バネ２１は、撮像装置本体１の内部に配設されている回路基板（不図示）のグランドパターンに接続されたメインフレーム板金に対して電気的に接続されている。これは、蓋部６の隙間より静電気が侵入した際に板バネ２１に避雷針を持たせることにより、上記回路基板などを保護するためである。板バネ２１の付勢力の発生機構と留め部材２５については後述する。
【００２０】
図５は、蓋部６を取り外したカバーユニット（分解状態）を示す分解斜視図である。
【００２１】
図５において、蓋部６の上辺部には、蓋部６を接続部５の開口部に対して開閉する際に蓋部６の回動軸となる鉄芯２４が配置されている。鉄芯２４は、蓋部６の上辺部に設けられた挿入孔に挿入され貫通している。鉄芯２４の軸方向の両端部は、それぞれ、撮像装置本体１の側面部の前方側に設けられた第１のグリップベルト取付部２の一部と、ネジ２６を介してカバーユニット２０に固定される留め部材２５とによって保持される。
【００２２】
図６は、蓋部６を開いた状態において開き方向に付勢する付勢力発生機構（蓋部開き状態）を示す概略断面図である。
【００２３】
図６において、蓋部６における板バネ２１と接している側はカム形状に形成されている。蓋部６は、蓋部６と板バネ２１との接している箇所を介して板バネ２１から加えられる荷重Ｐ１を受ける。これに伴い、蓋部６は、鉄芯２４を中心に反時計回りのＡ１方向（開き方向）に付勢力を発生する。
【００２４】
図７は、蓋部６を閉じた状態において閉じ方向に付勢する付勢力発生機構（蓋部閉じ状態）を示す概略断面図である。
【００２５】
図７において、上記のように、蓋部６における板バネ２１と接している側はカム形状に形成されている。蓋部６は、蓋部６と板バネ２１との接している箇所を介して板バネ２１から加えられる荷重Ｐ２を受ける。これに伴い、蓋部６は、鉄芯２４を中心に時計回りのＡ２方向（閉じ方向）に付勢力を発生する。
【００２６】
図８は、撮像装置において開いた状態の蓋部６がグリップベルト４を押し上げると共に接続部５にプラグを挿入した状態を示す斜視図である。
【００２７】
図８において、蓋部６は、開いた状態では上述したように板バネ２１から荷重Ｐ１（図６）を受け、鉄芯２４を中心に反時計回りのＡ１方向（開き方向）に付勢力を発生するため、グリップベルト４を接続部５の開口部を塞がない位置まで押し上げる。即ち、板バネ２１の付勢力により蓋部６がグリップベルト４を押し上げるため、接続部５の開口部がグリップベルト４で覆われず、接続部５に対するケーブル３０の先端のプラグ３１の挿入／抜き外し（挿抜）を容易に行うことができる。
【００２８】
以上詳細に説明したように、本実施の形態によれば、従来のようにグリップベルトの垂れ下がりを防止するための新たな機構を搭載することなく、板バネ２１を設けるという簡易な構成で、蓋部６の開き動作を利用してグリップベルト４を押し上げることができる。これにより、蓋部６を開いた際にグリップベルト４が撮像装置本体側の接続部５の開口部を覆わないようにすることができるため、接続部５に対するプラグの挿抜など、接続部５の使用を容易にすることが可能となる。
【００２９】
更に、本実施の形態の二次的な効果としては、板バネ２１を撮像装置本体内部のメインフレーム板金に電気的に接続しているため、蓋部６の隙間から静電気が侵入した際に板バネ２１が避雷針の機能を果たす結果、回路基板を保護することが可能となる。
【図面の簡単な説明】
【００３０】
【図１】本発明の実施の形態に係る撮像装置（蓋部閉じ状態）におけるグリップベルトを取り付けた状態を示す斜視図である。
【図２】撮像装置（蓋部開き状態）におけるグリップベルトを取り外した状態を示す斜視図である。
【図３】撮像装置におけるグリップベルトを蓋部が押し上げている状態を示す側面図である。
【図４】蓋部を取り付けたカバーユニット（組み付け状態）を示す正面図である。
【図５】蓋部を取り外したカバーユニット（分解状態）を示す分解斜視図である。
【図６】蓋部を開いた状態において開き方向に付勢する付勢力発生機構（蓋部開き状態）を示す概略断面図である。
【図７】蓋部を閉じた状態において閉じ方向に付勢する付勢力発生機構（蓋部閉じ状態）を示す概略断面図である。
【図８】撮像装置において開いた状態の蓋部がグリップベルトを押し上げると共にプラグを挿入した状態を示す斜視図である。
【図９】（ａ）は、従来例に係る撮像装置の蓋部を閉じた状態を示す斜視図、（ｂ）は、蓋部を開いた状態を示す斜視図である。
【符号の説明】
【００３１】
１  撮像装置本体
２  第１のグリップベルト取付部
３  第２のグリップベルト取付部
４  グリップベルト
５  接続部
６  蓋部
２０  カバーユニット
２１  板バネ
２４  鉄芯
３１  プラグ
【図１】
2010147552.tif 000003
【図２】
2010147552.tif 000004
【図３】
2010147552.tif 000005
【図４】
2010147552.tif 000006
【図５】
2010147552.tif 000007
【図６】
2010147552.tif 000008
【図７】
2010147552.tif 000009
【図８】
2010147552.tif 000010
【図９】
2010147552.tif 000011